(57)【要約】【課題】少ない部品点数で、風などによるけらば部材の変形を抑制することができ、施工性にも優れたけらば部材の取付構造を提供すること。【解決手段】けらば部材５は、化粧部５１と上包み部５３とを備え、化粧部は、野地板１の妻側端部１１と、受け桟２の妻側に位置する外側面２２と、破風材４の妻側に位置する外側面４１とを覆っており、上包み部５３は、化粧部の上端部から建物の棟方向に向かって突出しており、水切り部材６は、妻側付近の野地板の上面に配置され、屋根材３の下側に入り込む載置片６１と、載置片の妻側端部から起立して、受け桟の外側面の反対側に位置する内側面２１を覆う起立片６２と、起立片の上端部から妻側へ屈曲して延び、受け桟の上面２３を覆う第１片６３と、第１片６３の妻側端部から起立して、上包み部の下面まで延びる第２片６４と、第２片の上端部から上包み部５３の内面に沿って上包み部の先端まで延びる支持片６５とを備え、上包み部が支持片によって内側から支持されている。【選択図】図１
2018031240.tif 000002
【特許請求の範囲】
【請求項１】
建物の妻側の上端付近に配設されるけらば部材の取付構造であって、
野地板と、
前記野地板の妻側の上面に固定された角柱状の受け桟と、
前記野地板の上面に載置された屋根材と、
前記野地板の妻側の下面に固定された破風板と、
前記建物の妻側の上端付近を外側から覆うけらば部材と、
前記野地板の妻側付近に配設された水切り部材と、
を備え、
前記けらば部材は、化粧部と上包み部とを備え、
前記化粧部は、前記野地板の妻側端部と、前記受け桟の妻側に位置する外側面と、前記破風材の妻側に位置する外側面とを覆っており、前記上包み部は、前記化粧部の上端部から前記建物の棟方向に向かって突出しており、
前記水切り部材は、
妻側付近の前記野地板の上面に配置され、前記屋根材の下側に入り込む載置片と、
前記載置片の妻側端部から起立して、前記受け桟の前記外側面の反対側に位置する内側面を覆う起立片と、
前記起立片の上端部から妻側へ屈曲して延び、前記受け桟の上面を覆う第１片と、
前記第１片の妻側端部から起立して、前記上包み部の内面まで延びる第２片と、
前記第２片の上端部から前記上包み部の内面に沿って前記上包み部の先端付近まで延びる支持片と、
を備え、
前記上包み部が前記支持片によって内側から支持されていることを特徴とするけらば部材の取付構造。
【請求項２】
前記けらば部材の前記上包み部は、
前記化粧部の上端部から前記建物の棟方向に向かって伸びる天井部と、
前記天井部の先端から下方に向かって伸びる垂下部と、
前記垂下部の下端部から前記化粧部側に向かって屈曲する内向き部と、
前記内向き部の先端から前記垂下部側に向かって上方向に折り曲げられた折り返し部と、
を備え、
前記水切り部材の前記支持片は、
前記第２片の上端部から延びて前記天井部の内面と当接する第１支持部と、
前記第１支持部の先端から下方に延びて前記垂下部の内面と当接する第２支持部と、
前記第２支持部の下端部から妻側に向かって屈曲しており、前記折り返し部の内面と当接し、かつ、前記内向き部と前記折り返し部との間の隙間に挿入されて固定される爪部と、
を備えることを特徴とする請求項１に記載のけらば部材の取付構造。
【発明の詳細な説明】
【技術分野】
【０００１】
本発明は、けらば部材の取付構造に関する。
【背景技術】
【０００２】
従来、建物の妻側には、野地板と、野地板の上面に固定される屋根材の妻側端部を覆うけらば部材が設けられている。
【０００３】
例えば、本出願人が提案する特許文献１のけらば部材の取付構造では、けらば部材の上包み部の先端側の移動を規制するための押え具が設けられている。特許文献１のけらば部材の取付構造では、この押え具によって、けらば部材が風などの外力による撓みや変形を抑制することができる。
【先行技術文献】
【特許文献】
【０００４】
【特許文献１】特開2015−55138号公報
【発明の概要】
【発明が解決しようとする課題】
【０００５】
しかしながら、特許文献１のけらば部材の取付構造では、けらば部材の撓みや変形を抑制するための押え具が別部材として設けられている。このため、特許文献１のけらば部材の取付構造の場合、部品点数を抑えるのが難しいことが改善すべき点として考えられた。さらに、特許文献１のけらば部材の取付構造の場合、押え具が受け桟の上面から横方向に延びてけらば部材と接続する構造になっている。このため、けらば部材を建物の妻側に取り付ける際に、押え具と確実に接合させるための上下方向の位置決めが必ずしも容易でなく、施工性の面でも改善の余地があると考えられた。
【０００６】
本発明は、以上のとおりの事情に鑑みてなされたものであり、少ない部品点数で、風などによるけらば部材の変形を抑制することができ、施工性にも優れたけらば部材の取付構造を提供することを課題としている。
【課題を解決するための手段】
【０００７】
上記の課題を解決するために、本発明は、建物の妻側の上端付近に配設されるけらば部材の取付構造であって、
野地板と、
前記野地板の妻側の上面に固定された角柱状の受け桟と、
前記野地板の上面に載置された屋根材と、
前記野地板の妻側の下面に固定された破風板と、
前記建物の妻側の上端付近を外側から覆うけらば部材と、
前記野地板の妻側付近に配設された水切り部材と、
を備え、
前記けらば部材は、化粧部と上包み部とを備え、
前記化粧部は、前記野地板の妻側端部と、前記受け桟の妻側に位置する外側面と、前記破風材の妻側に位置する外側面とを覆っており、前記上包み部は、前記化粧部の上端部から前記建物の棟方向に向かって突出しており、
前記水切り部材は、
妻側付近の前記野地板の上面に配置され、前記屋根材の下側に入り込む載置片と、
前記載置片の妻側端部から起立して、前記受け桟の前記外側面の反対側に位置する内側面を覆う起立片と、
前記起立片の上端部から妻側へ屈曲して延び、前記受け桟の上面を覆う第１片と、
前記第１片の妻側端部から起立して、前記上包み部の内面まで延びる第２片と、
前記第２片の上端部から前記上包み部の内面に沿って前記上包み部の先端付近まで延びる支持片と、
を備え、
前記上包み部が前記支持片によって内側から支持されていることを特徴としている。
【発明の効果】
【０００８】
本発明のけらば部材の取付構造によれば、少ない部品点数で、風などによるけらば部材の変形を抑制することができ、施工性にも優れている。
【図面の簡単な説明】
【０００９】
【図１】本発明のけらば部材の取付構造の一実施形態を例示した、建物の妻側の断面図および部分拡大図である。
【図２】図１のけらば部材の取付構造における水切り部材の形態を示した断面図である。
【発明を実施するための形態】
【００１０】
本発明のけらば部材の取付構造の一実施形態について、図１および図２に基づいて説明する。  図１は、本発明のけらば部材の取付構造の一実施形態を例示した、建物の妻側の断面図および部分拡大図である。図２は、図１のけらば部材の取付構造における水切り部材の形態を示した断面図である。
【００１１】
この実施形態のけらば部材の取付構造は、建物の妻側の上端付近に配設されるけらば部材５の取付構造である。この実施形態のけらば部材５の取付構造は、野地板１と、野地板１の妻側の上面に固定された角柱状の受け桟２と、野地板１の上面に載置された屋根材３とを備えている。また、この実施形態のけらば部材５の取付構造は、野地板１の妻側の下面に固定された破風板４と、建物の妻側の上端付近を外側から覆うけらば部材５と、野地板１の妻側付近に配設された水切り部材６とを備えている。けらば部材５は、化粧部５１と上包み部５３とを備えている。化粧部５１は、野地板１の妻側端部１１と、受け桟２の妻側に位置する外側面２２と、破風材４の妻側に位置する外側面４１とを覆っている。上包み部５３は、化粧部５１の上端部から建物の棟方向に向かって突出している。水切り部材６は、妻側付近の野地板１の上面に配置され、屋根材３の下側に入り込む載置片６１と、載置片６１の妻側端部から起立して、受け桟２の外側面２２の反対側に位置する内側面２１を覆う起立片６２とを備えている。また、水切り部材６は、起立片６２の上端部から妻側へ屈曲して延び、受け桟２の上面２３を覆う第１片６３と、第１片６３の妻側端部から起立して、上包み部５３の内面まで延びる第２片６４とを備えている。さらに、水切り部材６は、第２片６４の上端部から上包み部５３の内面に沿って上包み部５３の先端まで延びる支持片６５を備えている。上包み部５３が支持片６５によって内側から支持されている。
【００１２】
この実施形態のけらば部材５の取付構造では、けらば部材５の上包み部５３は、化粧部５１の上端部から建物の棟方向に向かって伸びる天井部５３aと、天井部５３aの先端から下方に向かって伸びる垂下部５３bとを備えていることが好ましい。また、けらば部材５の上包み部５３は、垂下部５３bの下端部から化粧部５１側に向かって屈曲する内向き部５３cと、内向き部５３cの先端から垂下部５３c側に向かって上方向に折り曲げられた折り返し部５３dとを備えていることが好ましい。水切り部材６の支持片６５は、第２片６４の上端部から延びて天井部５３aの内面と当接する第１支持部６５aと、第１支持部６５aの先端から下方に延びて垂下部５３bの内面と当接する第２支持部６５bとを備えていることが好ましい。また、水切り部材６の支持片６５は、第２支持部６５bの下端部から妻側に向かって屈曲しており、折り返し部５３dの内面と当接し、かつ、内向き部５３cと折り返し部５３dとの間の隙間Ｓに挿入されて固定される爪部６５cとを備えていることが好ましい。
【００１３】
以下、この実施形態のけらば部材の取付構造について詳しく説明する。
【００１４】
この実施形態のけらば部材の取付構造では、建物に、野地板１と、受け桟２と、屋根材３と、破風板４と、けらば部材５と、水切り部材６とが設けられている。
【００１５】
野地板１は、屋根材３の下地材であり、棟木（図示していない）から軒先にかけて屋根勾配に沿って設けられる垂木７の上に固定される。野地板１の表面には、防水シート（アスファルトルーフィング）などが敷設されていることが好ましい。
【００１６】
受け桟２は、角柱状であり、野地板１の妻側の上面に固定されている。受け桟２は、屋根勾配方向に沿って、建物の棟側から軒先側にかけて設けられている。
【００１７】
屋根材３は、野地板１の上面に載置されており、例えば、切妻屋根や片流れ屋根などの形態で設けられる。屋根材３は、金属板やセメント瓦などの各種の材料であってよい。屋根は、複数の屋根材３によって構成される。この実施形態では、屋根材３は、屋根勾配方向とは直交する方向に、凹部３１と凸部３２とが交互に形成されている。凹部３１および凸部３２は、屋根材３の屋根勾配方向の全長に亘って設けられている。
【００１８】
破風板４は、野地板１の妻側端部１１側の下面に垂木７を介して固定されている。破風板４は、屋根勾配方向に沿って、建物の棟側から軒先側にかけて設けられる板材であり、建物内部への雨の吹込みを防ぐためのものである。破風板４は、野地板１の妻側端部１１よりも、建物の内側に設けられている。破風板４の下端部４２付近には、軒天井下地材８が取付けられている。
【００１９】
軒天井下地材８は角柱状であり、屋根勾配方向に沿って、建物の棟側から軒先側にかけて設けられている。軒天井下地材８は、破風板４の下端部４２よりもやや上側に設けられている。破風板４の下端部４２と建物の外壁の間に、軒天井下地材８が複数架設されている。
【００２０】
軒天井９は、軒天井下地材８の下面に取り付けられており、屋根勾配方向に沿って傾斜している。
【００２１】
けらば部材５は、建物の妻側の上端付近を外側から覆うためのものであり、この実施形態では、けらば部材５は、化粧部５１と、引掛け部５２と、上包み部５３とを備えている。
【００２２】
化粧部５１は、野地板１の妻側端部１１と、受け桟２の妻側に位置する外側面２２と、破風板４の妻側に位置する外側面４１を覆っている。化粧部５１には、けらば部材５を破風板４に固定するための固定具Ｔが取付けられる凹状の溝部５１aが形成されている。溝部５１aの破風板４側の端部は、破風板４に当接している。この実施形態では、溝部５１aは、化粧部５１の破風板４の下端部４２から上端部４３までの部分に、２ヵ所設けられている。下側の溝部５１aに取付けられる固定具Ｔにより、けらば部材５と破風板４と軒天井下地材８とが固定されている。上側の溝部５１aに取付けられる固定具Ｔにより、けらば部材５と破風板４と垂木７とが固定されている。この実施形態では、化粧部５１の溝部５１aが設けられる部分以外の領域は、破風板４との間に隙間５１bが形成されている。
【００２３】
引掛け部５２は側面視Ｌ字状であり、化粧部５１の下端部から軒天井９側に向かって略水平に延びる下片５２aと、下片５２aの先端から上方に向かって屈曲する押え片５２ｂとを備えている。下片５２aは、破風板４の下端部４２と当接しており、破風板４の下端部４２を覆っている。また、押え片５２ｂは、破風板４の下端部４２の裏側に引掛けられており、これによって、けらば部材５が、破風板４に取付けられる位置決めが行われる。
【００２４】
上包み部５３は、化粧部５１の上端部から建物の棟方向（内側方向）に向かって突出し、受け桟２と屋根材３の妻側端部３３を上方から覆っている。具体的には、この実施形態では、上包み部５３は、天井部５３aと、垂下部５３bと、内向き部５３cと、折り返し部５３dとを備えている。
【００２５】
天井部５３aは、化粧部５１の上端部から建物の棟方向に向かって伸びており、建物の棟方向に位置する先端側がやや下方に傾斜している。天井部５３aの先端は、受け桟２の内側面２１および屋根材３の妻側端部３３よりも建物の内側方向に位置している。
【００２６】
垂下部５３bは、天井部５３aの先端から下方に向かって伸びている。垂下部５３bの下端部は、受け桟２の上面２３と略同じ高さに位置している。
【００２７】
内向き部５３cは、垂下部５３bの下端部から化粧部５１側（妻側）に向かって略水平に屈曲している。内向き部５３cの先端と受け桟２の上面２３付近とが離間した状態で互いに対向している。
【００２８】
折り返し部５３dは、内向き部５３cの先端から垂下部５３b側に向かって斜め上方向に折り曲げられている。折り返し部５３dと内向き部５３cとの間には隙間Ｓが形成されている。
【００２９】
水切り部材６は、野地板１の妻側付近に配設されている。この実施形態では、水切り部材６は、載置片６１と、起立片６２と、第１片６３と、第２片６４と、支持片６５とを備えている。
【００３０】
載置片６１は、妻側付近の野地板１と屋根材３との間に設けられている。すなわち、載置片６１は、妻側付近の野地板１の上に配置され、屋根材３の下側に入り込んでいる。屋根材３の下側に位置する載置片６１の先端には、妻側に向かって折り返す折り返し片６１aが設けられている。また、載置片６１は、折り返し片６１aより妻側に突条部６１bが形成されている。
【００３１】
起立片６２は、載置片６１の妻側端部から起立して、受け桟２の内側面２１を覆っている。ここで、受け桟２の内側面２１とは、建物の棟方向に対向し、受け桟２の妻側に位置する外側面２２の反対側の面をいう。この実施形態では、起立片６２は、受け桟２の内側面２１に当接しており、上端部が受け桟２の上面２３の高さ位置付近まで延びている。さらに、この実施形態では、釘やねじなどの固定具Ｔが起立片６２を水平方向に貫通し、受け桟２に打ち込まれることで、起立片６２が受け桟２に固定されている。起立片６２には、予め固定具Ｔを挿入するための開口６２aが設けられている。
【００３２】
第１片６３は、載置片６１と略平行であり、起立片６２の上端部から妻側へ略水平方向に屈曲して受け桟２の上面２３を覆っている。この実施形態では、第１片６３は、受け桟２の上面２３に当接し、受け桟２の妻側の外側部２２の位置まで延びている。
【００３３】
なお、この実施形態では、図１において、起立片６２および第１片が受け桟２に当接している形態を例示しているが、起立片６２および第１片は、受け桟２に当接している必要はなく、隙間が形成されていてもよい。
【００３４】
第２片６４は、起立片６２と略平行であり、第１片６３の妻側端部から略垂直に起立して、上包み部５３の天井部５３aの内面まで延びている。
【００３５】
水切り部材６は、野地板１の上に配置された載置片６１の妻側端部から起立片６２が立ち上がり、起立片６２から第１片６３および第２片６４を介して上包み部５３と当接している。このため、上包み部５３の内側に雨水がかかっても、野地板１や受け桟２に雨水が浸入することが確実に抑制される。
【００３６】
また、支持片６５は、第２片６４の上端部から上包み部５３の内面に沿って上包み部５３の先端５３１付近まで延びている。具体的には、この実施形態では、支持片６５は、第２片６４の上端部から載置片６１側に向かって伸びる第１支持部６５aと、第１支持部６５aの先端から下方に向かって伸びる第２支持部６５ｂを備えている。第１支持部６５aは、天井部５３aの内面に沿って建物の棟方向に延びている。第２支持部６５ｂは、第１支持部６５aの先端から垂下部５３bの内面に沿って下方に延びている。
【００３７】
さらに、支持片６５は、第２支持部６５ｂの下端から妻側（起立片６２側）に向かって略水平方向に屈曲する爪部６５cを備えている。支持片６５の爪部６５cは、折り返し部５３dの内面と当接し、内向き部５３cと折り返し部５３dとの間の隙間Ｓに挿入されて固定されている。
【００３８】
このように、この実施形態のけらば部材５の取付構造では、支持片６５は、第２片６４の上端部から上包み部５３の内面に沿って上包み部５３の先端５３１付近まで延びている。このため、上包み部５３の全体が支持片６５によって内側から支持され、風や積雪などによる荷重によってけらば部材５の上包み部５３が撓んで変形するのを抑制することができる。また、この実施形態では、水切り部材６は、第１支持部６５aが天井部５３aの内面と当接し、第２支持部６５ｂが垂下部５３bの内面と当接している。そして、水切り部材６は、支持片６５の爪部６５cが折り返し部５３dの内面と当接し、内向き部５３cと折り返し部５３dとの間の隙間Ｓに挿入されて固定されている。このため、けらば部材５の上包み部５３の変形が確実に抑制される。
【００３９】
また、例えば、けらば部材５の上包み部５３を補強するための部材を別途設ける必要がなく、水切り部材６の支持片６５によって上包み部５３の全体が支持されるため、部品点数を減らすことができ、施工コストを抑制することができる。
【００４０】
さらに、この実施形態のけらば部材５の取付構造は、水切り部材６の第２片６４が、受け桟２の上方から天井部５３aまで延び、第２片６４から側方に延びる第１支持部６５aが天井部５３aの内面と当接する構造になっている。このため、けらば部材５を施工する際は、水切り部材６の第１支持部６５aの上面にけらば部材５を載置し、内向き部５３cと折り返し部５３dとの間の隙間Ｓに爪部６５cを挿入して仮留めすることができる。そして、けらば部材５が支持片６５によって支持された状態で、固定具Ｔで位置を固定することができる。したがって、取り付けるけらば部材５の上下位置が水切り部材６によって安定に定まるため、墨出しなどの位置調整の作業が不要であり、施工性に優れている。
【００４１】
本発明のけらば部材の取付構造は、以上の実施形態に限定されるものではない。例えば、本発明のけらば部材の取付構造では、水切り部材によって野地板や受け桟への雨水の浸入が抑制され、けらば部材の上包み部が水切り部材の支持片によって内側から支持されていればよく、けらば部材や水切り部材の形状などは適宜設計することができる。
【符号の説明】
【００４２】
１    野地板
１１  妻側端部
２    受け桟
２２  外側面
３    屋根材
４    破風材
５    けらば部材
５１  化粧部
５３  上包み部
５３a  天井部
５３b  垂下部
５３c  内向き部
５４d  折り返し部
６    水切り部材
６１    載置片
６２    起立片
６３    第１片
６４    第２片
６５    支持片
６５a  第１支持部
６５b  第２支持部
６５c  爪部
Ｓ    隙間
【図１】
2018031240.tif 000003
【図２】
2018031240.tif 000004